(57)【要約】【課題】壁の構築後、その壁面を基準面として、止水栓本体を容易且つ正確に設置することができる壁内蔵止水栓を提供する。【解決手段】壁と相対する正面側にトイレ等の給水先機器への給水管を接続する吐水口部と該吐水口部への内部通水路を開閉する弁操作部とを有した止水栓本体と、前記壁の裏側に配置され、前記止水栓本体を該壁の厚み方向に沿って水平にスライド可能に収容する取付けボックスと、前記壁に貫設する作業用の開口部を介して室内側から前記止水栓本体の正面側に固定するベース部を有すると共に、該ベース部と一体に、前記壁の開口部の周囲の室内側壁面と当接可能な壁受け部を有した位置決めステーとを備え、前記止水栓本体をスライドさせて前記位置決めステーの前記壁受け部を前記壁の室内側壁面と当接させることにより、当該室内側壁面を基準面として前記吐水口部及び前記弁操作部の室内側の突出量を規定する。【選択図】図１
2019007224.tif 000002
【特許請求の範囲】
【請求項１】
壁と相対する正面側にトイレ等の給水先機器への給水管を接続する吐水口部と該吐水口部への内部通水路を開閉する弁操作部とを有した止水栓本体と、前記壁の裏側に配置され、前記止水栓本体を該壁の厚み方向に沿って水平にスライド可能に収容する取付けボックスと、前記壁に貫設する作業用の開口部を介して室内側から前記止水栓本体の正面側に固定するベース部を有すると共に、該ベース部と一体に、前記壁の開口部の周囲の室内側壁面と当接可能な壁受け部を有した位置決めステーとを備え、前記止水栓本体をスライドさせて前記位置決めステーの前記壁受け部を前記壁の室内側壁面と当接させることにより、当該室内側壁面を基準面として前記吐水口部及び前記弁操作部の室内側の突出量を規定することを特徴とした壁内蔵止水栓。
【請求項２】
位置決めステーは、壁の開口部の左右又は上下で室内側壁面と当接する一対の壁受け部を有する請求項１記載の壁内蔵止水栓。
【請求項３】
壁受け部は、室内側壁面との平行面を当接面とする板状である請求項１または２記載の壁内蔵止水栓。
【請求項４】
取付けボックスは、壁と平行する背面部を有する共に、この背面部に止水栓本体と当接して、その後方へのスライドを規制可能なスライド規制部を水平に設けると共に、該スライド規制部は、その先端側に壁の厚みに応じて任意に切除する爪折部を有し、前記止水栓本体の後方へのスライドを前記爪折部の切除の有無によって段階的に規制可能とした請求項１、２または３記載の壁内蔵止水栓。
【請求項５】
取付けボックスと止水栓本体とに、互いに凹凸係合して前記止水栓本体を前後方向にスライドさせるガイドレール部を設け、前記取付けボックスに設けるガイドレール部は、その先端部分を壁の厚みに応じて上下で長さが異なる段違いに形成してなり、当該上下の段それぞれの先端面を基準として止水栓本体を位置合わせすることにより、当該止水栓本体の前後位置を壁の厚さに応じて段階的に調整可能とした請求項１から４のうち何れか一項記載の壁内蔵止水栓。
【請求項６】
取付けボックスにガイドレール部の先端部分を外部から目視する覗き窓を設け、該覗き窓を通じて前記先端部分と止水栓本体との位置関係を目視することで前記先端部分を基準として前記止水栓本体の前後位置を調整可能とした請求項５記載の壁内蔵止水栓。
【請求項７】
止水栓本体は、そのガイドレール部を斜め上方から挿通するネジによって取付けボックスのガイドレール部に固定する請求項５または６記載の壁内蔵止水栓。
【発明の詳細な説明】
【技術分野】
【０００１】
この発明は、止水栓本体を壁の裏側に配置して室内側の出っ張りを抑えた壁内蔵止水栓に係り、止水栓本体を容易且つ正確に壁面に沿って設置することを可能とした構成に関するものである。
【背景技術】
【０００２】
トイレ等への給水管に接続する一般的な止水栓は、その全体が室内側に配置されるが、近年では、止水栓本体を壁の裏側に配置して、給水管に接続する吐水口部と、この吐水口部への通水路を開閉する弁の操作部だけを室内側に露出させるようにした壁内蔵止水栓（水道用コンセントとも称される）が提案されている。
【０００３】
こうした壁内蔵止水栓によれば、一般的な止水栓よりも室内側の出っ張りを大幅に小さくできることから、室内側の有効スペースが大きく確保され、見た目もすっきりする。
【０００４】
ところで、壁内蔵止水栓の設置作業では、壁の構築前に、その裏側にある配水管を止水栓本体に接続しておく必要がある。そのため、止水栓本体の固定先は、壁そのものではなく、壁を構築する前に予め構築されている間柱などの壁裏構築材を利用することになる。そして、このような壁裏構築材に止水栓本体を固定し、配水管を接続した後に壁を構築し、この壁に止水栓本体に通ずる開口部を設けて吐水口部と弁操作部を室内側に露出させ、適当な化粧カバーを取り付けて設置完了となる。当該設置後は、吐水口部に給水管を接続し、弁操作部を開方向に操作することでトイレ等の給水先機器に給水可能となる。
【０００５】
このような設置作業において、壁裏構築材に止水栓本体を直接固定したのでは、壁の構築後に、その位置を一切調整することができない。上下方向の高さ位置については、さほど厳格さを要求されないが、壁の厚み方向の前後位置については、この種の壁内蔵止水栓の使用目的が室内側の出っ張りを小さくすることにあるから、高さ位置よりも厳格さが求められる。しかし、その後に構築される壁の厚みによって、吐水口部等が室内側に出っ張り過ぎたり、逆に、必要以上に奥まったりするなど、実際に壁を構築してみなければ、止水栓本体の前後位置を決定することが困難な場合がある。
【０００６】
そこで、本出願人は、止水栓本体を壁の厚み方向に沿う前後方向に水平にスライド可能に収容するボックスを備え、このボックスを壁裏構築材の適当な高さ位置に固定し止水栓本体を収容することで、壁の構築後に開口部を介して止水栓本体の前後位置を調整可能な壁内蔵給水栓を開示した（特許文献１）。これによれば、壁の構築後に、室内側から吐水口部と弁操作部の出っ張り具合を適正なものとすることができる。そして、最終的には、前後位置が決定した止水栓本体をボックスにネジ止めなどにより固定し、開口部に化粧カバーを取付けて全ての設置が完了する。
【先行技術文献】
【特許文献】
【０００７】
【特許文献１】特開２０１５−１０６７号公報
【発明の概要】
【発明が解決しようとする課題】
【０００８】
特許文献１の壁内蔵止水栓では、作業者が吐水口部等の出っ張り具合を目分量で確認しながら止水栓本体の前後調整作業を行っている。よって、作業者によって止水栓本体の前後位置が不均一となるおそれがあり、適切な前後位置とするには熟練を要する。
【０００９】
また、特許文献１におけるスライド構造は、止水栓本体の左右に設けた前後方向の凹状レール部と、ボックスの左右内面に設けた前後方向の凸状レール部との係合によるものであるが、凹状レール部と凸状レール部の間にはクリアランス（遊び）があるため、吐水口部等の向きが若干左右に偏向するような設置も許容され、吐水口部等を正確に真っ直ぐ室内に向ける調整作業にはやはり熟練を要する。
【００１０】
要するに、特許文献１の壁内蔵止水栓では、その設置作業において客観的な基準点を持たないまま、止水栓本体の前後調整作業を作業者の技量に頼っていたため、施工ムラが生じたり、吐水口部等の向きが不適切となったりするという課題があった。
【００１１】
本発明は上述した課題を解決するためになされたもので、その目的とするところは、壁の構築後、その壁面を基準面として、止水栓本体を容易且つ正確に設置することができる壁内蔵止水栓を提供することにある。
【課題を解決するための手段】
【００１２】
上述した目的を達成するために本発明では、壁と相対する正面側にトイレ等の給水先機器への給水管を接続する吐水口部と該吐水口部への内部通水路を開閉する弁操作部とを有すると共に、背面側に壁の裏側に配管されている配水管との接続部を有した止水栓本体と、前記壁の裏側に配置され、前記止水栓本体を該壁の厚み方向に沿って水平にスライド可能に収容する取付けボックスと、前記壁に貫設する作業用の開口部を介して室内側から前記止水栓本体の正面側に固定するベース部を有すると共に、該ベース部と一体に、前記壁の開口部の周囲の室内側壁面と当接可能な壁受け部を有した位置決めステーと備え、前記止水栓本体をスライドさせて前記位置決めステーの前記壁受け部を前記壁の室内側壁面と当接させることにより、当該室内側壁面を基準面として前記吐水口部及び前記弁操作部の室内側の突出量を規定するという手段を用いた。
【００１３】
本発明の壁内蔵止水栓の設置手順は、壁を構築する前に、まず、その裏側にある間柱等の壁裏構築材に取付けボックスを固定し、この取付けボックスに止水栓本体を収容して配水管を接続しておく。そして、止水栓本体をスライドさせて大まかな前後位置を仮決定し、壁を構築する。その後、この壁に止水栓本体が位置する部分に作業用の開口部を設け、この開口部を通じて室内側から位置決めステーを止水栓本体に取り付ける。このとき位置決めステーの壁受け部は室内側に位置し、最終段階において、この壁受け部が室内側壁面と当接する位置まで止水栓本体をスライドさせれば、常に吐水口部と弁操作部を予め決めた量だけ室内側に突出させた状態とすることができる。また、壁受け部の室内側壁面との当接によって、吐水口部と弁操作部の向きも安定する。
【００１４】
なお、位置決めステーの壁受け部の数は一つであってもよいが、少なくとも左右又は上下で一対の二つあることが好ましい。当該一対の壁受け部を同時に室内側壁面と当接させることで、止水栓本体を左右又は上下に偏向することなく設置することができるからである。
【００１５】
また、壁受け部は、室内側壁面と当接する形状であればよいが、室内側壁面との平行面を当接面とした板状であることが好ましい。このような板状の壁受け部により、室内側壁面と広い範囲で面接触することで、より確実に偏向をなくすことができるからである。
【００１６】
上述のように、本発明では、位置決めステーに基づく最終調整作業によって、止水栓本体の前後位置を適切なものとすることができるのであるが、予め壁の厚みが分かっている場合は、その構築前に、止水栓本体の前後位置を前記厚みに応じた位置に調整しておくことで、最終段階では位置決めステーによる前後位置の確認作業で済む。このような壁構築前の事前調整手段として、本発明では、取付けボックスは、壁と平行する背面部を有すると共に、この背面部に止水栓本体と当接して、その後方へのスライドを規制可能なスライド規制部を水平に設けると共に、該スライド規制部は、その先端側に壁の厚みに応じて任意に切除する爪折部を有し、前記止水栓本体の後方へのスライドを前記爪折部の切除の有無によって段階的に規制可能とする。
【００１７】
また、取付けボックスと止水栓本体とに、互いに凹凸係合して前記止水栓本体を前後方向にスライドさせるガイドレール部を設け、前記取付けボックスに設けるガイドレール部は、その先端部分を壁の厚みに応じて上下で長さが異なる段違いに形成してなり、当該上下の段それぞれの先端面を基準として止水栓本体を位置合わせすることにより、当該止水栓本体の前後位置を壁の厚さに応じて段階的に調整可能とするという手段も用いる。
【００１８】
この手段では、さらに、取付けボックスにガイドレール部の先端部分を外部から目視する覗き窓を設け、該覗き窓を通じて前記先端部分と止水栓本体との位置関係を目視することで前記先端部分を基準として前記止水栓本体の前後位置を調整可能とする。
【００１９】
また、止水栓本体は、そのガイドレール部を斜め上方から挿通するネジによって取付けボックスのガイドレール部に固定するようにした。この手段によれば、止水栓本体を取り付けボックスに固定する際、その前後位置が確定する前の仮固定と、当該確定後の本固定の双方の何れにおいても、施工中にドライバが他部材に干渉せず、室内側から施工することができる。
【発明の効果】
【００２０】
本発明では、位置決めステーによって止水栓本体の前後位置を容易且つ正確に決定することができる。
【００２１】
また、予め壁の厚みが分かっている場合は、その構築前でも、事前調整手段によって、止水栓本体の前後位置を位置決めステーに準じた正確さで決定することができる。
【図面の簡単な説明】
【００２２】
【図１】本発明の一実施形態に係る壁内蔵止水栓の分解斜視図
【図２】同、組図の正面図
【図３】図２のＡ−Ａ線断面図
【図４】図２のＢ−Ｂ線断面図
【図５】同、化粧カバーを取付けた状態の正面図
【図６】同、設置手順を示した説明図（壁構築前）
【図７】同、設置手順を示した説明図（壁構築後）
【図８】同、設置手順を示した説明図（最終段階）
【図９】壁が中間厚みの場合の図４におけるＣ部拡大図
【図１０】壁が最薄厚みの場合の図４におけるＣ部拡大図
【図１１】壁が最厚の厚みの場合の図４におけるＣ部拡大図
【図１２】取付けボックスを図１と上下逆さまに取付けた状態の斜視図
【図１３】同、取付けボックスに止水栓本体を収容した組図の正面図
【発明を実施するための形態】
【００２３】
以下、本発明の好ましい実施の形態を添付した図面に従って説明する。図１は、本発明の一実施形態に係る壁内蔵止水栓の分解斜視図である。同図において、１は止水栓本体、２はその取付けボックス、３は位置決めステー、４は化粧カバーである。また、Ｗは壁であり、Ｂは壁Ｗの裏側にその構築前より存在する間柱等の壁裏構築材である。
【００２４】
止水栓本体１は、壁Ｗの裏側に配管されている配水管（図示せず）と、室内側にトイレや洗濯機などの給水先機器への給水管（図示せず）との間に設置されるもので、図２〜５に詳細に示したように、壁Ｗと相対する正面側には、前記給水管と接続する吐水口部１ａと、該吐水口部１ａへの内部通水路１ｂを開閉するネジ式の弁操作部１ｃとを上下二段に設けている。また、配水管との接続部１ｄは真下に向けて、吐水口部１ａと９０度の位置関係としている。
【００２５】
このような止水栓本体１において、吐水口部１ａと弁操作部１ｃとの間には、その正面側にネジ穴１ｅを設けている。このネジ穴１ｅは、位置決めステー３をネジ止めするためのものである。また、その左右それぞれには凹溝を形成した凹状のガイドレール部１ｆを水平方向に設けている。このガイドレール部１ｆの上部には、上方から溝内に向かって斜めに貫通するネジ穴１ｇを設けてあり、このネジ穴１ｇを利用して止水栓本体１を取付けボックス２にネジ止めするようにしている。
【００２６】
取付けボックス２は、壁Ｗの裏側に配置するもので、この実施形態では、壁裏構築材Ｂの側面に固定する。その正面は開口して止水栓本体１を収容し、下面開口からは止水栓本体１の配水管接続部１ｄが突出するようにしている。上面部２ａと左右の側面部２ｂ、及び背面部２ｃは閉塞している。このうち上面部２ａの中央と左右の側面部２ｂの上下二箇所には長孔状のネジ穴２ｄを設けて、何れかの面部によって取付けボックス２を壁裏構築材Ｂにネジ止めできるようにしている。
【００２７】
また、取付けボックス２の左右の側面部２ｂそれぞれの内面中央には、止水栓本体１のガイドレール部１ｆに挿入係合する凸状のガイドレール２ｅを水平方向に設けている。
【００２８】
さらに、左右の側面部２ｂそれぞれにはガイドレール部２ｅの先端部（正面側の端部）をボックス外側から目視可能な長孔状の覗き窓２ｆを設けている。
【００２９】
位置決めステー３は、中央に止水栓本体１のネジ穴１ｅにネジ止めするベース部３ａを有し、その左右それぞれに、水平方向に立ち上がるアーム部３ｂから外側に折り曲げて、壁Ｗの室内側壁面Ｗ１と面接触により当接可能な板状の壁受け部３ｃを一体的に設けている。なお、壁受け部３ｃには化粧カバー４に設けた爪（図示せず）が嵌め殺しの状態で嵌合する切欠き３ｄを設けている。
【００３０】
化粧カバー４は、位置決めステー４の壁受け部３ｃを隠蔽する大きさを有し、止水栓本体１の吐水口部１ａと弁操作部１ｃに対応して、これらの挿通孔４ａ・４ｂを上下に設けている。また、裏面には位置決めステー３の切欠き３ｄに嵌合する爪部４ｃを設けている。
【００３１】
次に、上記の構成からなる壁内蔵止水栓の設置手順を図６〜８にしたがって説明すると、まず、取付けボックス２を正面開口を壁Ｗ側に向けて壁裏構築材Ｂの適当な高さに配置し、ボックス内側からネジをネジ穴２ｄに差し込んで固定する（図６（ａ））。図例では、壁裏構築材Ｂの右側面に取付けボックス２の左側面をあてがった状態で固定しており、止水栓本体１をその凹状ガイドレール部１ｆに取付けボックス２の凸状ガイドレール部２ｅを差し込むようにして、止水栓本体１を取付けボックス２に収容する（図６（ｂ））。取付けボックス２に止水栓本体１を収容したならば、下向きの接続部１ｄに配水管を接続しておく。
【００３２】
この段階で止水栓本体１をスライドさせて大まかな前後位置を決定し、ネジ穴１ｇにネジ１ｈを差し込んで、このネジ１ｈを軽く締め込んで、止水栓本体１を取付けボックス２に仮固定する。ネジ穴１ｇは止水栓本体１のガイドレール部１ｅの上段側に正面から背面に向かって斜めに傾斜しているため、室内側から施工ができ、またネジ１ｈを回すドライバも他の部材と干渉することがない。なお、仮固定時における止水栓本体１の前後位置の事前調整については後述する。
【００３３】
止水栓本体１を仮固定したならば、その正面側に壁Ｗを構築する。この壁Ｗには予め止水栓本体１の吐水口部１ａと弁操作部１ｃが挿通する貫通孔ＷＨ１が形成されているが（図７（ａ））、後に止水栓本体１を取付けボックス２に本固定する際の工具の差し込み口を確保するために、テンプレートＴを用いて貫通孔ＷＨ１を拡大し、矩形状の開口部ＷＨ２を形成する（図７（ｂ））。なお、この図７（ｂ）では、開口部ＷＨ２の右側を開放したものを図示し、壁Ｗの裏側の止水栓本体１等の位置関係や構造を確認できるようにしているが、これは説明の便宜上によるもので、実際の開口部ＷＨ２は、図８に示すように、周囲が閉鎖されている。
【００３４】
そして、室内側から開口部Ｗを介して止水栓本体１に位置決めステー３をネジ止め固定する。このとき位置決めステー３の左右一対の壁受け部３ｃは室内側に位置し、開口部ＷＨ２の左右で室内側壁面Ｗ１と当接可能な状態となる。
【００３５】
この状態で、一旦、ネジ１ｈを緩めて止水栓本体１をスライド自在な状態とし、位置決めステー３の左右の壁受け部３ｃを手指によって室内側壁面Ｗ１に同時に押し当てる（図８（ａ））。この作業によって、止水栓本体１は取付けボックス２内を壁奥に向かって正確に水平にスライドして、止水栓本体１の前後位置が最終調整され、吐水口部１ａと弁操作部１ｃが左右に偏向することなく、その室内側壁面Ｗ１からの突出量も適切な量となる。
【００３６】
このように最終調整が済んだならば、左右の壁受け部３ｃを室内側壁面Ｗ１に押し当てたまま、ネジ１ｈを締め込んで、止水栓本体１を取付けボックス２に本固定し、化粧カバー４を上述のとおり位置決めステー３に嵌め殺しの状態で取付けて（図８（ｂ））、全ての設置作業が完了する。
【００３７】
ところで、本発明の壁内蔵止水栓は、位置決めステー３により壁Ｗの室内側壁面Ｗ１を基準面として止水栓本体１の前後位置を正確に規定することができるのであるが、予め壁Ｗの厚みが分かっている場合は、壁Ｗの構築前であっても、止水栓本体１の前後位置が決定できれば、最終段階では位置決めステー３による確認作業、あるいは僅かな微調整だけで済む。また、壁Ｗの構築前に止水栓本体１を必要以上に取付けボックス２の奥側に位置させた状態で仮固定すると、位置決めステー３のアーム部３ｂの長さによっては、ベース部３ａが止水栓本体１に届かず、位置決めステー３への止水栓本体１の固定作業が困難となる。
【００３８】
そこで、壁Ｗを構築する前の仮固定時における止水栓本体１の前後位置の事前調整手段を図９〜１１にしたがって説明すると、まず、第一の事前調整手段として、取付けボックス２の背面部２ｃには正面側に向かって突出するリブ状のスライド規制部２ｇを設けている。このスライド規制部２ｇは止水栓本体１の背面１ｉと当接して、止水栓本体１の後方へのスライドを規制するものである。また、このスライド規制部２ｇは、先端に手指等によって切除可能な爪折部２ｈを設けており、この爪折部２ｈの切除の有無により、止水栓本体１の後方スライドを二段階で規制するようにしている（図９・１０）。
【００３９】
ここで、壁Ｗの厚みは９．５ｍｍ、１２．５ｍｍ、１５．０ｍｍというように幾つかの規格がある。最薄の厚み（９．５ｍｍ）と中間の厚み（１２．５ｍｍ）の差は３．０ｍｍであるから、爪折部２ｈの突出長さを３．０ｍｍとしておくことによって、最薄厚みの壁と中間厚みの壁に対応することができる。即ち、予め壁Ｗの厚みが中間厚み（１２．５ｍｍ）と分かっている場合は、爪折部２ｈを切除せずに残置し、止水栓本体１の収容時に爪折部２ｈと当接するまでスライドさせる（図９）。一方、壁Ｗが最薄厚み（９．５ｍｍ）であることが事前に分かっている場合は、爪折部２ｈを切除して、止水栓本体１をスライド規制部２ｇに当接するまでスライドさせる（図１０）。
【００４０】
このように、スライド規制部２ｇと爪折部２ｈによって、止水栓本体１の前後位置を壁Ｗの厚みに応じて事前に調整することができるのであるが、最厚の厚み（１５．０ｍｍ）の場合は、止水栓本体１をより取付けボックス２の背面部２ｃから離し、爪折部２ｈと当接しない位置とする必要がある。つまり、この場合、爪折部２ｈは機能しない。
【００４１】
そこで、このような最厚の壁にも対応するように、第二の事前調整手段として、取付けボックス２の凸状ガイドレール部２ｅの先端部分を上下で長さが異なる段違いに形成し、これら二つの先端部分２ｅ１・２ｅ２をそれぞれ基準として、止水栓本体１の前後位置を二段階で事前調整できるようにしている（図９・１１）。この実施形態では、二つの先端部分２ｅ１・２ｅ２の段差を、最厚の厚み（１５．０ｍｍ）と中間厚み（１２．５ｍｍ）の差（２．５ｍｍ）に設定しており、壁Ｗが最厚の厚みと分かっている場合は、長い方の先端部分２ｅ１に位置決めステー３のアーム部３ｂのベース部側基部を合わせ（図１１）、中間厚みと分かっている場合は、短い方の先端部分２ｅ２に前記基部を合わせる（図９）。この位置合わせ作業は、取付けボックス２の側面部２ｂに設けた覗き窓２ｆを通じた目視によって容易に行うことができる。
【００４２】
このように、壁Ｗの厚みが分かっている場合は、その構築前に、壁の厚みに応じた止水栓本体１の前後位置を事前に調整することができ、その精度は、位置決めステー３に準ずるものとして、最終段階では位置決めステー３による確認作業、あるいは僅かな微調整だけで済む。
【００４３】
なお、本発明は上記実施形態に限定されず、例えば位置決めステー３の壁受け部３ｃは少なくとも左右一対であることが好ましいが、一つであってもよく、また、その形状についても板状であることが好ましいが、棒状であってもよい。本発明で必要なことは、室内側壁面Ｗ１を基準面として止水栓本体１の前後位置を規定するように、壁受け部３ｃが室内側壁面Ｗ１と当接することである。
【００４４】
また、壁Ｗの構築前における止水栓本体１の事前調整手段も、壁Ｗの厚みが分かっている場合は有効であるが、そうでない場合は採用を省略することも可能である。
【００４５】
さらに、止水栓本体１の設置向きについても、一般的には、図１のとおり、配水管との接続部１ｄが真下に向くように設置するが、配水管の配管態様によっては、図１２に示すように取付けボックス２を上下逆さに固定することで、図１３に示すように接続部１ｄを上向きとすることも可能である。また、取付けボックス２の壁裏構築材Ｂに対する取付け面を上面部２ａとすれば、止水栓本体１の接続部１ｄを横向きに設置することも可能である。このような設置向きによって、位置決めステー３の壁受け部３ｃは壁Ｗの開口部ＷＨ２の左右又は上下の何れにも対応させることが可能である。
【符号の説明】
【００４６】
１  止水栓本体
１ａ  吐水口部
１ｃ  弁操作部
１ｆ  凹状ガイドレール部
２  取付けボックス
２ｂ  側面部
２ｃ  背面部
２ｅ  凸状ガイドレール部
２ｆ  覗き窓
３  位置決めステー
３ａ  ベース部
３ｃ  壁受け部
４  化粧カバー
Ｗ  壁
Ｗ１  室内側壁面
ＷＨ２  開口部
Ｂ  壁裏構築材
【図１】
2019007224.tif 000003
【図２】
2019007224.tif 000004
【図３】
2019007224.tif 000005
【図４】
2019007224.tif 000006
【図５】
2019007224.tif 000007
【図６】
2019007224.tif 000008
【図７】
2019007224.tif 000009
【図８】
2019007224.tif 000010
【図９】
2019007224.tif 000011
【図１０】
2019007224.tif 000012
【図１１】
2019007224.tif 000013
【図１２】
2019007224.tif 000014
【図１３】
2019007224.tif 000015